(57)【要約】【課題】容易に設置できるものの取り外しが困難で、かつ、塀の構築にあわせて外敵の侵入防止対策ができる安価な外敵侵入防止用ブロック及び外敵侵入防止用塀を提供する。【解決手段】外敵侵入防止用塀１は、複数のブロック３で構築される下側ブロック塀５と、下側ブロック塀５の上に一段のみ設置される上側ブロック塀７とで構成されている。下側ブロック塀５は、一般的なセメントからなる角柱形状のブロック３を横方向に複数連設するとともに、縦方向に積み上げて構築される。上側ブロック塀７は、横方向に連設された複数の外敵侵入防止用ブロック９から構築される。外敵侵入防止用ブロック９は、セメントからなるブロック部９ａの上面に変形可能な変形体９ｂを備えており、この変形体９ｂに荷重が作用して変形すると侵入防止用の音を発する。【選択図】図１
2008169542.tif 000002
【特許請求の範囲】
【請求項１】
縦横に積み重ねて塀を構築するためのブロックであって、荷重が作用すると変形して音を発する変形体を端面に備えることを特徴とする外敵侵入防止用ブロック。
【請求項２】
前記変形体は、
前記端面を覆って取り付けられた板状部材と、
前記端面と前記板状部材との間に取り付けられたスペーサーとから構成されることを特徴とする請求項１に記載の外敵侵入防止用ブロック。
【請求項３】
前記変形体は、
互いに空隙をおいて配設された硬質骨材と、
該硬質骨材を内包する袋材とから構成されることを特徴とする請求項１に記載の外敵侵入防止用ブロック。
【請求項４】
前記変形体は、
伸縮可能で、内部に空隙部を有する弾性部材と、
前記空隙部と前記弾性部材の外周面とを連通するように前記弾性部材に設けられた連通孔と、
前記連通孔内に設けられ、前記弾性部材の収縮にともなう前記空隙部内の空気の流出及び流入により振動する弁とから構成されることを特徴とする請求項１に記載の外敵侵入防止用ブロック。
【請求項５】
少なくとも一部に、荷重が作用すると変形して音を発する変形体を端面に備えた外敵侵入防止用ブロックを用いて構築されたことを特徴とする外敵侵入防止用塀。
【請求項６】
ブロックを縦横に積み重ねて構築された塀の上端部に、荷重が作用すると変形して音を発する変形体を備えることを特徴とする外敵侵入防止用塀。
【発明の詳細な説明】
【技術分野】
【０００１】
本発明は、塀の上端部に設置し、不審者や猫等の外敵の侵入を防止する外敵侵入防止用ブロック及び外敵侵入防止用塀に関するものである。
【背景技術】
【０００２】
建物の外から不審者や猫等の外敵の侵入を防ぐために、ブロック等により構築された塀の上端部に有刺鉄線を設けたり、ネットを張ったりする方法が用いられている。また、塀の上部付近を監視できるようにセンサーを設置し、不審者等が塀を乗り越えようとするのをセンサーが検知すると、音や光で警告を発し、不審者等の侵入を防止する方法も用いられている。
【発明の開示】
【発明が解決しようとする課題】
【０００３】
しかしながら、有刺鉄線を設けたり、ネットを張る方法では、設置の際に塀の上端部付近での高所作業が必要であり、困難な作業や多大な手間が伴うという問題点があった。また、有刺鉄線やネット等の材料費及び高所作業等を伴う工事費が必要であり、コストがかかるという問題点があった。
【０００４】
そして、センサーを設置する方法では、センサーが比較的高価であることから、導入を検討するすべての塀を監視しようとするとコストがかかりやすいという問題点があった。また、センサーは電源、電気配線等が必要であり、設備費及び維持管理費がかかるという問題点もあった。
【０００５】
さらに、上述したすべての方法において、塀の構築後に新たに設置するものなので、構造上、取り外しが容易であり、侵入しようとする者に取り外される可能性があるという問題点があった。
【０００６】
そこで、本発明は、上記の問題点を鑑みてなされたものであり、取り外しが困難で、かつ、塀の構築にあわせて外敵の侵入防止対策ができる安価な外敵侵入防止用ブロック及び外敵侵入防止用塀を提供することを目的としている。
【課題を解決するための手段】
【０００７】
上記問題を解決する本発明の外敵侵入防止用ブロックは、縦横に積み重ねて塀を構築するためのブロックであって、荷重が作用すると変形して音を発する変形体を端面に備えることを特徴とする（第１の発明）。
【０００８】
本発明による外敵侵入防止用ブロックによれば、不審者や猫等の外敵がこのブロックで構築された塀を乗り越える際に、このブロックに乗ると変形体が変形して足下が不安定になるとともに、変形体が変形しつつ侵入防止用の音を発するために、外敵の侵入を抑制することが可能となる。また、変形体が変形すると侵入防止用の音を発するので、外敵の侵入を検知することが可能となる。  
そして、侵入防止用の音を発する変形体はブロックの端面に設けられてブロックと一体化しているために、侵入者等が変形体を取り外すことは困難である。
【０００９】
第２の発明は、第１の発明において、前記変形体は、前記端面を覆って取り付けられた板状部材と、前記端面と前記板状部材との間に取り付けられたスペーサーとから構成されることを特徴とする。
【００１０】
本発明による外敵侵入防止用ブロックによれば、板状部材とブロックとの間にスペーサーを設けることにより板状部材とブロックとの間に空間部が生じ、足で踏むような荷重が変形体に作用すると、板状部材が空間部に向かって変形するとともに、ブロック本体に衝突するために、侵入防止用の音を発することが可能となる。  
また、変形体は、複雑な機構の装置や電気的な装置を用いておらず、単純な機構の装置であるために壊れにくく、長期にわたって確実に侵入防止用の音を発生させることが可能である。
【００１１】
第３の発明は、第１の発明において、前記変形体は、互いに空隙をおいて配設された硬質骨材と、該硬質骨材を内包する袋材とから構成されることを特徴とする。
【００１２】
本発明による外敵侵入防止用ブロックによれば、足で踏むような荷重が変形体に作用すると硬質骨材同士が衝突するために、侵入防止用の音を発することが可能となる。  
また、変形体は、複雑な機構の装置や電気的な装置を用いておらず、単純な機構の装置であるために壊れにくく、長期にわたって確実に侵入防止用の音を発生させることが可能である。
【００１３】
第４の発明は、第１の発明において、前記変形体は、伸縮可能で、内部に空隙部を有する弾性部材と、前記空隙部と前記弾性部材の外周面とを連通するように前記弾性部材に設けられた連通孔と、前記連通孔内に設けられ、前記弾性部材の収縮にともなう前記空隙部内の空気の流出及び流入により振動する弁とから構成されることを特徴とする。
【００１４】
本発明による外敵侵入防止用ブロックによれば、足で踏むような荷重が変形体に作用すると弾性部材が収縮し、空隙部内の空気が連通孔を介して流出する際に、この空気が連通孔を通過しつつ弁を振動させることにより侵入防止用の音を発することが可能となる。また、人がこの変形体を踏むのを止め、足を上げることにより荷重が開放されると、弾性部材が元の形に戻るとともに、空隙部内に外気が流入する際に、外気が連通孔を通過しつつ弁を振動させることにより侵入防止用の音をさらに発することが可能となる。  
さらに、変形体は、複雑な機構の装置や電気的な装置を用いておらず、単純な機構の装置であるために壊れにくく、長期にわたって確実に侵入防止用の音を発生させることが可能である。
【００１５】
第５の発明の外敵侵入防止用塀は、少なくとも一部に、荷重が作用すると変形して音を発する変形体を端面に備えた外敵侵入防止用ブロックを用いて構築されたことを特徴とする。
【００１６】
本発明による外敵侵入防止用塀によれば、少なくとも一部（例えば、塀の上端部）に前記外敵侵入防止用ブロックを用いることにより、容易に外敵侵入防止用塀を構築することが可能となる。  
また、塀の少なくとも一部にこの外敵侵入防止用ブロックを設置すればよいので、塀を構築した後に従来の外敵侵入防止用装置を全面的に設置する場合に比べて、短時間で、かつ安価に構築することが可能となる。  
さらに、外敵侵入防止用塀は複数個の外敵侵入防止用ブロックから構築されるために、一つの外敵侵入防止用ブロックが破損して侵入防止用の音を発しなくなっても、他の外敵侵入防止用ブロックが侵入防止用の音を発することが可能である。したがって、外敵侵入防止用塀の信頼性を向上させることができる。
【００１７】
第６の発明の外敵侵入防止用塀は、ブロックを縦横に積み重ねて構築された塀の上端部に、荷重が作用すると変形して音を発する変形体を備えることを特徴とする。
【００１８】
本発明による外敵侵入防止用塀によれば、ブロックを縦横に積み重ねて構築された塀の上端部に変形可能な変形体を設置することにより、外敵が塀を乗り越える際に、この変形体に乗ると変形体が変形して侵入防止用の音を発するために、外敵の侵入を抑制するとともに、侵入を検知することが可能となる。
【発明の効果】
【００１９】
本発明による外敵侵入防止用ブロック及び外敵侵入用防止塀によれば、不審者や猫等の外敵が塀に乗ると変形体が変形して侵入防止用の音を発するので、外敵の侵入を抑制することができる。  
また、塀の構築にあわせて外敵の侵入防止対策ができるので、短時間で、かつ安価に外敵侵入防止用塀を構築することができる。  
さらに、侵入防止用の音を発する変形体はブロックと一体化しているために、侵入者等が変形体を取り外すことは困難である。
【発明を実施するための最良の形態】
【００２０】
以下、本発明を塀に適用した場合の実施形態について説明するが、塀に限らず、フェンス、門等にも適用できることはいうまでもない。
【００２１】
図１は、本発明の第一実施形態に係る外敵侵入防止用塀１を示す図である。図１に示すように、外敵侵入防止用塀１は、複数のブロック３で構築される下側ブロック塀５と、下側ブロック塀５の上に一段のみ設置される上側ブロック塀７とで構成されている。
【００２２】
下側ブロック塀５は、セメントからなる角柱形状の一般的なブロック３を横方向に複数連設するとともに、縦方向に積み上げて構築される。  
上側ブロック塀７は、横方向に連設された複数の外敵侵入防止用ブロック９から構築される。
【００２３】
図２は、本実施形態に係る外敵侵入防止用ブロック９の断面斜視図である。図２に示すように、外敵侵入防止用ブロック９は、セメントからなるブロック部９ａの上面に変形可能な変形体９ｂを備えており、この変形体９ｂに荷重が作用して変形すると侵入防止用の音を発する。
【００２４】
本実施形態において、変形体９ｂは、例えば、プラスチック樹脂からなる波板であり、外敵侵入防止用ブロック９に人が乗って波板を踏むと波板の凸部が下方に変形することにより侵入防止用の音を発生する。  
外敵侵入防止用ブロック９は、波板の下端部の一部がブロック部９ａ内に埋設されており、波板とブロック部９ａとが一体化するように製作されている。
【００２５】
以上説明したように、本実施形態の外敵侵入防止用ブロック９によれば、不審者や猫等の外敵が外敵侵入防止用ブロック９で構築された外敵侵入防止用塀１を乗り越える際に、この外敵侵入防止用ブロック９に乗って変形体９ｂを足で踏むと、変形体９ｂが変形して足下が不安定になるとともに、変形体９ｂが変形しつつ侵入防止用の音を発するために、外敵の侵入を抑制することが可能となる。また、変形体９ｂが変形すると侵入防止用の音を発するので、外敵の侵入を検知することが可能となる。
【００２６】
そして、変形体９ｂをブロック部９ａの上面に設置することにより、ブロック部９ａへの直射日光や雨水の侵入を防止することができるために、ブロック部９ａの劣化を防止することが可能となる。したがって、外敵侵入防止用塀１の寿命を従来の塀よりも長くすることが可能となる。
【００２７】
さらに、変形体９ｂは美観にすぐれているために、外敵侵入防止用塀１に装飾効果をもたらすことが可能となる。
【００２８】
次に、本発明の第二の実施形態について説明する。以下の説明において、第一実施形態に対応する部分には同一の符号を付して説明を省略し、主に相違点について説明する。第二実施形態においては、第一実施形態において用いた変形体９ｂと異なる変形体１９ｂ、２９ｂを用いるものである。
【００２９】
図３（ａ）、図３（ｂ）は、それぞれ本発明の第二実施形態に係る外敵侵入防止用ブロック１９の斜視図、側面図である。図３（ａ）及び図３（ｂ）に示すように、本実施形態に係る外敵侵入防止用ブロック１９の変形体１９ｂは、ブロック部９ａの上方に上端面１０を覆うように配置される板状部材１９ｃと、一端部がブロック部９ａ内に埋設され、他端部が板状部材１９ｃに脱着可能に接続される複数のスペーサー１９ｄとから構成されている。
【００３０】
本実施形態において、板状部材１９ｃは、例えば、鉄板であり、この鉄板に人が乗ると変形するものの、人がいなくなると元の状態に戻る程度の弾性力及び強度を有する。
【００３１】
スペーサー１９ｄの一端部は、ブロック部９ａ内からの抜け止め防止のための突起部１９ｅを備えている。また、スペーサー１９ｄの他端部は、板状部材１９ｃが揺動自在となるように球面軸受け１９ｆを備えている。
【００３２】
外敵侵入防止用ブロック１９に人が乗って変形体１９ｂを踏むと、板状部材１９ｃの中央部が下方へ凸状に変形するとともに、揺動してブロック部９ａに衝突することにより侵入防止用の音を発生する。
【００３３】
次に、本実施形態に係る他の実施例を次に示す。  
図４（ａ）、図４（ｂ）は、それぞれ本実施形態に係る他の外敵侵入防止用ブロック２９の斜視図、側面図である。図４（ａ）及び図４（ｂ）に示すように、本実施形態に係る外敵侵入防止用ブロック２９の変形体２９ｂは、板状部材１９ｃと、球体のスペーサー２９ｄと、板状部材１９ｃの離散を防止するためのワイヤー２９ｅとから構成されている。
【００３４】
スペーサー２９ｄが板状部材１９ｃ、ブロック部９ａとそれぞれ接する部分にはスペーサー２９ｄと同じ長さの半径を有する球面状の溝２９ｆが削孔されているとともに、ワイヤー２９ｅが板状部材１９ｃを介してスペーサー２９ｄを抑えこんでいるために、スペーサー２９ｄが外れることはない。
【００３５】
外敵侵入防止用ブロック２９に人が乗って変形体２９ｂを踏むと、板状部材１９ｃの中央部が下方へ凸状に変形するとともに、揺動してブロック部９ａに衝突することにより侵入防止用の音を発生する。
【００３６】
以上説明したように、本実施形態の外敵侵入防止用ブロック１９、２９によれば、板状部材１９ｃとブロック部９ａとの間にスペーサー１９ｄ、２９ｄを設けることにより板状部材１９ｃとブロック部９ａとの間に空間部が生じ、人が外敵侵入防止用ブロック１９、２９に乗って変形体１９ｂ、２９ｂを足で踏むと、板状部材１９ｃが空間部に向かって変形するとともに、ブロック部９ａに衝突するために、侵入防止用の音を発することが可能となる。
【００３７】
また、変形体１９ｂ、２９ｂは、複雑な機構の装置や電気的な装置を用いておらず、単純な機構の装置であるために壊れにくく、長期にわたって確実に侵入防止用の音を発生させることが可能である。
【００３８】
さらに、板状部材１９ｃが破損した場合には、スペーサー１９ｄの他端部の球面軸受け１９ｆを取り外す、又はワイヤー２９ｅを取り外して交換することができので、メンテナンスが容易である。
【００３９】
次に、本発明の第三の実施形態について説明する。  
図５は、本発明の第三実施形態に係る外敵侵入防止用ブロック３９の斜視図である。図５に示すように、本実施形態に係る外敵侵入防止用ブロック３９の変形体３９ｂは、接着剤により互いに空隙をおいて接着された硬質骨材３９ｃと、これらの硬質骨材３９ｃを内包する不織布等の袋状の袋材３９ｄとから構成され、変形体３９ｂの下部分はブロック部９ａ内に埋設されている。
【００４０】
接着剤は、人が変形体３９ｂに乗ると硬質骨材３９ｃ同士が離れる程度の接着強度を有するものを用いる。
【００４１】
本実施形態において、硬質骨材３９ｃは、例えば、小石であり、人が外敵侵入防止用ブロック３９に乗って変形体３９ｂを踏むと接着していた小石同士が離れて、互いに衝突することにより侵入防止用の音を発生する。接着剤の接着効果がなくなった小石は、不織布等の袋材３９ｄに内包されているために、外敵侵入防止用ブロック３９から離散することはない。
【００４２】
以上説明したように、本実施形態の外敵侵入防止用ブロック３９によれば、人が外敵侵入防止用ブロック３９に乗って変形体３９ｂを足で踏むと、硬質骨材３９ｃ同士が衝突するために、侵入防止用の音を発することが可能となる。
【００４３】
また、変形体３９ｂは、複雑な機構の装置や電気的な装置を用いておらず、単純な機構の装置であるために壊れにくく、長期にわたって確実に侵入防止用の音を発生させることが可能である。
【００４４】
次に、本発明の第四の実施形態について説明する。  
図６は、本発明の第四実施形態に係る外敵侵入防止用ブロック４９の断面斜視図である。図６に示すように、本実施形態に係る外敵侵入防止用ブロック４９の変形体４９ｂは、伸縮可能で、内部に空隙部４９ａを有する弾性部材４９ｃと、空隙部４９ａと弾性部材４９ｃの外周面とを連通するように弾性部材４９ｃに設けられた連通孔４９ｄと、連通孔４９ｄ内に設置され、空隙部４９ａへ流入する空気及び空隙部４９ａから流出する空気の移動により振動する弁４９ｅとから構成され、変形体４９ｂの下部分はブロック部９ａ内に埋設されている。
【００４５】
本実施形態において、弾性部材４９ｃは、例えば、袋状のゴムシートであり、人が外敵侵入防止用ブロック４９に乗って変形体４９ｂを踏むとゴムシートが収縮して空隙部４９ａが圧縮され、この空隙部４９ａ内の空気が連通孔４９ｄを介して流出する際に、連通孔４９ｄを通過しつつ弁４９ｅを振動させることにより侵入防止用の音を発生する。また、人が足を上げて変形体４９ｂを踏むのを止めるとゴムシートが元の形に戻ろうとして外気が連通孔４９ｄを介して空隙部４９ａに流入する際に、連通孔４９ｄを通過しつつ弁４９ｅを振動させることにより侵入防止用の音をさらに発生する。
【００４６】
以上説明したように、本実施形態の外敵侵入防止用ブロック４９によれば、人が外敵侵入防止用ブロック４９に乗って変形体４９ｂを足で踏んだり、踏んだ後に足を上げると、連通孔４９ｄを通過する空気が弁４９ｅを振動させることにより侵入防止用の音を発生することが可能となる。
【００４７】
また、変形体４９ｂは、複雑な機構の装置や電気的な装置を用いておらず、単純な機構の装置であるために壊れにくく、長期にわたって確実に侵入防止用の音を発生させることが可能である。
【００４８】
なお、上述した各実施形態においては、変形体９ｂ、２９ｂ、３９ｂ、４９ｂをそれぞれ備えた外敵侵入防止用ブロック９、２９、３９、４９を下側ブロック塀５の上に設置することにより外敵侵入防止用塀１を構築する方法について説明したが、これに限定されるものではなく、一般的なブロック塀を構築した後に変形体９ｂ、２９ｂ、３９ｂ、４９ｂを釘や接着材等にて取り付けて外敵侵入防止用塀１を構築してもよい。
【００４９】
なお、上述した各実施形態においては、外敵侵入防止用ブロック９、２９、３９、４９のブロック部９ａとして角柱形状のものを用いて説明したが、この形状に限定されるものではなく、例えば、円柱、錐体、図７（ａ）に示すようなコンクリートブロック５１形状等で、図７（ｂ）に示すように、左右方向に接続することが可能な形状であればよい。
【図面の簡単な説明】
【００５０】
【図１】本発明の第一実施形態に係る外敵侵入防止用塀を示す図である。
【図２】本実施形態に係る外敵侵入防止用ブロックを示す断面斜視図である。
【図３】本発明の第二実施形態に係る外敵侵入防止用ブロックの（ａ）は斜視図であり、（ｂ）は側面図である。
【図４】本発明の第二実施形態に係る他の外敵侵入防止用ブロックの（ａ）は斜視図であり、（ｂ）は側面図である。
【図５】本発明の第三実施形態に係る外敵侵入防止用ブロックを示す斜視図である。
【図６】本発明の第四実施形態に係る外敵侵入防止用ブロックを示す断面斜視図である。
【図７】本発明に係るブロック部の他の形状例を示し、（ａ）はコンクリートブロック形状を示す図であり、（ｂ）は（ａ）のコンクリートブロック形状体を左右方向に接続した状態を示す図である。
【符号の説明】
【００５１】
１  外敵侵入防止用塀
３  ブロック
５  下側ブロック塀
７  上側ブロック塀
９  外敵侵入防止用ブロック
９ａ  ブロック部
９ｂ  変形体
１０  上端面
１９  外敵侵入防止用ブロック
１９ｂ  変形体
１９ｃ  板状部材
１９ｄ  スペーサー
１９ｅ  突起部
１９ｆ  球面軸受け
２９  外敵侵入防止用ブロック
２９ｂ  変形体
２９ｄ  スペーサー
２９ｅ  ワイヤー
２９ｆ  溝
３９  外敵侵入防止用ブロック
３９ｂ  変形体
３９ｃ  硬質骨材
３９ｄ  袋材
４９  外敵侵入防止用ブロック
４９ａ  空隙部
４９ｂ  変形体
４９ｃ  弾性部材
４９ｄ  連通孔
４９ｅ  弁
５１  コンクリートブロック
【図１】
2008169542.tif 000003
【図２】
2008169542.tif 000004
【図３】
2008169542.tif 000005
【図４】
2008169542.tif 000006
【図５】
2008169542.tif 000007
【図６】
2008169542.tif 000008
【図７】
2008169542.tif 000009